(57)【要約】【課題】車や電車や飛行機のシートの背もたれやヘッドレストの背面に画像モニターがある場合、後部座席に座る人はモニターに映った画像を単に受動的に視聴する場合が多かった。また、それらに乗る際や他の長時間椅子に座る際に、パソコンや携帯情報端末を持っていないとインターネットの検索や閲覧や電子メールやビジネスソフト等を十分活用できなかった。また、公共交通機関におけるコンピューターの時間貸しのビジネスを実現できなかった。【解決手段】シートの背もたれの背面にキーボード等の情報入力装置を設けた。また背もたれの背面に連結バーを結合して設けて、連結バーにキーボード等の情報入力装置を結合して設けた。また、キーボード等の情報入力装置などから入力可能なコンピューターをシートに設けた。また、シートの背もたれの内部あるいはシート本体の内部に印刷用プリンターを装設した。また、シートの肘掛けにキーボードやモニターや記憶媒体の記憶読み取り装置を設けた。【選択図】図２
2010284505.tif 000002
【特許請求の範囲】
【請求項１】
背もたれを具備したシートであって、背もたれの背面に情報入力用のキーボードを結合して設けていることを特徴とするシート。
【請求項２】
背もたれを具備したシートであって、背もたれの背面に軸または軸受けを設けて、前記軸または軸受けを介して前記背もたれの背面に情報入力用のキーボードを回動可能に結合して設けていることを特徴とするシート。
【請求項３】
背もたれを具備したシートであって、背もたれの背面に情報入力用のキーボードを背もたれの背面に平行して近接する閉位置と水平方向に位置する展開位置との間で回動可能に装着していることを特徴とするシート。
【請求項４】
背もたれを具備したシートであって、背もたれの背面に軸または軸受けを設けて、前記軸または軸受けを介して前記背もたれの背面にキーボード等の情報入力装置を、前記背面に平行して近接する閉位置と水平方向に位置する展開位置との間で回動可能に装着していることを特徴とするシート。
【請求項５】
背もたれを具備したシートであって、背もたれの背面にモニターとキーボード等の情報入力装置をそれぞれ回動可能に装着していることを特徴とするシート。
【請求項６】
背もたれを具備したシートであって、背もたれの背面にモニターとキーボード等の情報入力装置をそれぞれ回動可能に装着して、前記モニターと前記入力装置を互いに回動可能に接続していることを特徴とするシート。
【請求項７】
背もたれを具備したシートであって、背もたれの背面の上下の各位置に軸または軸受けを設けて、前記上方の軸または軸受けを介し前記背もたれの背面にモニターを回動可能に装着して、前記下方の軸または軸受けを介し前記背もたれの背面にキーボードを回動可能に装着していることを特徴とするシート。
【請求項８】
背もたれを具備したシートであって、背もたれの背面の上下の各位置に軸または軸受けを設けて、前記上方の軸または軸受けを介し前記背もたれの背面にモニターを回動可能に装着して、前記下方の軸または軸受けを介し前記背もたれの背面にキーボードを回動可能に装着して、かつ前記キーボードと前記モニターを互いに回動可能に接続していることを特徴とするシート。
【請求項９】
背もたれを具備したシートであって、背もたれの背面に凹部を設けて、前記凹部の内側面の上方と下方の各々に軸また軸受けを設けて、前記上方に設けた軸または軸受けを介してモニターを前記背もたれに回動可能に装着して、前記下方に設けた軸または軸受けを介してキーボード等の情報入力装置を前記背もたれに回動可能に装着していることを特徴とするシート。
【請求項１０】
背もたれを具備したシートであって、背もたれの背面に凹部を設けて、前記凹部の内側面の上方と下方の各々に軸また軸受けを設けて、前記上方に設けた軸または軸受けを介してモニターを前記背もたれに回動可能に装着して、前記下方に設けた軸または軸受けを介してキーボード等の情報入力装置を前記背もたれに回動可能に装着して、かつ前記モニターと前記キーボードを互いに回動可能に接続していることを特徴とするシート。
【請求項１１】
背もたれを具備したシートであって、背もたれの背面の上方に縦方向に幅のある軸受けを設けて前記軸受けを介してモニターを前記背もたれの背面に回動可能に装着して、前記軸受けより下方に別の軸または軸受けを設けて、前記別の軸または軸受けを介してキーボード等の情報入力装置を前記背もたれの背面に回動可能に装着していることを特徴とするシート。
【請求項１２】
背もたれを具備したシートであって、背もたれの背面に凹部を設けて、前記凹部の内側面の上方に、縦方向に幅のある軸受けを設けて前記軸受けを介してモニターを背もたれの背面に回動可能に装着して、前記軸受けよりも下方の位置に別の軸または軸受けを設けて、前記別の軸または軸受けを介して情報入力用のキーボードを背もたれの背面に回動可能に装着していることを特徴とするシート。
【請求項１３】
請求項１から請求項１２のいずれかに記載の背もたれを具備したシートであって、前記キーボードから入力が可能なコンピューターを装設していることを特徴とするシート。
【請求項１４】
背もたれを具備したシートであって、背もたれの背面に設けたモニターに映し出された画像をプリントするためのプリンターを、背もたれまたはシート本体に設けていることを特徴とするシート。
【請求項１５】
請求項１から請求項１３のいずれかに記載の背もたれを具備したシートであって、背もたれの背面に設けたモニターに映し出された画像をプリントするためのプリンターを、背もたれまたはシート本体に設けていることを特徴とするシート。
【請求項１６】
背もたれを具備したシートであって、背もたれの背面に情報入力用のキーボードを結合して設けているとともに、前記背もたれまたはシート本体にプリンターを装設していることを特徴とするシート。
【請求項１７】
背もたれを具備したシートであって、背もたれの背面に軸または軸受けを設けて、前記軸または軸受けを介して前記背もたれの背面に情報入力用のキーボードを回動可能に装着しているとともに、前記背もたれまたはシート本体にプリンターを装設していることを特徴とするシート。
【請求項１８】
背もたれを具備したシートであって、背もたれの背面に情報入力用のキーボードを背もたれの背面に平行して近接する閉位置と水平方向に位置する展開位置との間で回動可能に装着しているとともに、背もたれまたはシート本体にプリンターを装設していることを特徴とするシート。
【請求項１９】
背もたれを具備したシートであって、背もたれの背面に軸または軸受けを設けて、前記軸または軸受けを介して前記背もたれの背面にキーボード等の情報入力装置を、前記背面に平行して近接する閉位置と水平方向に位置する展開位置との間で回動可能に装着しているとともに、背もたれまたはシート本体にプリンターを装設していることを特徴とするシート。
【請求項２０】
背もたれを具備したシートであって、背もたれの背面にモニターとキーボード等の情報入力装置をそれぞれ回動可能に結合して設けているとともに、背もたれまたはシート本体にプリンターを装設していることを特徴とするシート。
【請求項２１】
背もたれを具備したシートであって、背もたれの背面にモニターとキーボード等の情報入力装置をそれぞれ回動可能に装着して、かつ前記モニターと前記キーボード等の情報入力装置を互いに回動可能に接続しているとともに、背もたれまたはシート本体にプリンターを装設していることを特徴とするシート。
【請求項２２】
背もたれを具備したシートであって、背もたれの背面の上下の各位置に軸または軸受けを設けて、前記上方の軸または軸受けを介し前記背もたれの背面にモニターを回動可能に装着して、前記下方の軸または軸受けを介し前記背もたれの背面にキーボード等の情報入力装置を回動可能に装着して、背もたれまたはシート本体にプリンターを装設していることを特徴とするシート。
【請求項２３】
背もたれを具備したシートであって、背もたれの背面の上下の各位置に軸または軸受けを設けて、前記上方の軸または軸受けを介し前記背もたれの背面にモニターを回動可能に装着して、前記下方の軸または軸受けを介し前記背もたれの背面にキーボード等の情報入力装置を回動可能に装着して、かつ前記キーボード等の情報入力装置と前記モニターを互いに回動可能に接続しているとともに、背もたれまたはシート本体にプリンターを装設していることを特徴とするシート。
【請求項２４】
背もたれを具備したシートであって、背もたれの背面に凹部を設けて、前記凹部の内側面の上方と下方の各々に軸また軸受けを設けて、前記上方に設けた軸または軸受けを介してモニターを前記背もたれに回動可能に装着して、かつ前記下方に設けた軸または軸受けを介してキーボード等の情報入力装置を背もたれに回動可能に装着しているとともに、背もたれまたはシート本体にプリンターを装設していることを特徴とするシート。
【請求項２５】
背もたれを具備したシートであって、背もたれの背面に凹部を設けて、前記凹部の内側面の上方と下方の各々に軸また軸受けを設けて、前記上方に設けた軸または軸受けを介してモニターを前記背もたれに回動可能に装着して、前記下方に設けた軸または軸受けを介してキーボード等の情報入力装置を前記背もたれに回動可能に装着して、かつ前記モニターと前記キーボード等の情報入力装置を互いに回動可能に接続しているとともに、背もたれまたはシート本体にプリンターを装設していることを特徴とするシート。
【請求項２６】
背もたれを具備したシートであって、背もたれの背面の上方に縦方向に幅のある軸受けを設けて前記軸受けを介してモニターを前記背もたれの背面に回動可能に装着して、前記軸受けより下方に別の軸または軸受けを設けて、前記別の軸または軸受けを介してキーボード等の情報入力装置を背もたれの背面に回動可能に装着しているとともに、背もたれまたはシート本体にプリンターを装設していることを特徴とするシート。
【請求項２７】
背もたれを具備したシートであって、背もたれの背面に凹部を設けて、前記凹部の内側面の上方に、縦方向に幅のある軸受けを設けて前記軸受けを介してモニターを背もたれの背面に回動可能に装着して、前記軸受けよりも下方の位置に別の軸または軸受けを設けて、前記下方の位置に設けた別の軸または軸受けを介してキーボード等の情報入力装置を背もたれの背面に回動可能に装着しているとともに、背もたれまたはシート本体にプリンターを設けていることを特徴とするシート。
【請求項２８】
背もたれを具備したシートであって、背もたれに連結バーを結合して設けて、前記連結バーにコンピューターの情報入力装置を結合して設けていることを特徴とするシート。
【請求項２９】
背もたれを具備したシートであって、背もたれに連結バーを結合して設けて、前記連結バーにキーボードを結合して設けていることを特徴とするシート。
【請求項３０】
背もたれを具備したシートであって、背もたれに連結バーを結合して設けて、前記連結バーにキーボードを結合して設けているとともに、前記キーボードに画像モニターを結合して設けていることを特徴とするシート。
【請求項３１】
背もたれを具備したシートであって、背もたれに連結バーを結合して設けて、前記連結バーにキーボードを結合して設けているとともに、背もたれの背面に画像モニターを結合して設けていることを特徴とするシート。
【請求項３２】
背もたれを具備したシートであって、背もたれに連結バーを結合して設けて、前記連結バーにキーボードを結合して設けているとともに、背もたれに記憶媒体の記憶読み取り装置を設けていることを特徴とするシート。
【請求項３３】
背もたれと肘掛けを具備したシートであって、肘掛けにコンピューターの情報入力装置を結合して設けていることを特徴とするシート。
【請求項３４】
背もたれと肘掛けを具備したシートであって、肘掛けにキーボードを結合して設けていることを特徴とするシート。
【請求項３５】
背もたれと肘掛けを具備したシートであって、肘掛けに記憶媒体の記憶読み取り装置を設けていることを特徴とするシート。
【請求項３６】
背もたれと肘掛けを具備している複数のシートが前後に並列してなるシート群であって、各シートの肘掛けにコンピューターの情報入力装置を結合して設けているとともに、また各シートの背もたれの背面に画像モニターを設けて、前記の情報入力装置から入力された情報を、前記の複数のシートを搭載する乗り物の内外に位置するコンピューターを介して各シートの前方に位置する他のシートの背もたれの背面の画像モニターに伝送するための情報伝送手段を設けていることを特徴とする複数のシートが前後に並列してなるシート群。
【請求項３７】
背もたれと肘掛けを具備している複数のシートが前後に並列してなるシート群であって、各シートの肘掛けにコンピューターの情報入力装置を結合して設けているとともに、また各シートの背もたれの背面に連結バーを結合して、かつ前記の連結バーに画像モニターを結合して設けて、また前記の情報入力装置から入力された情報を、前記の複数のシートを搭載する乗り物の内外に位置するコンピューターを介して各シートの前方に位置する他のシートの背もたれの背面に結合した連結バーに設けている画像モニターに伝送するための情報伝送手段を設けていることを特徴とする複数のシートが前後に並列してなるシート群。
【請求項３８】
背もたれと肘掛けを具備したシートであって、肘掛けにコンピューターの情報入力装置および画像モニターを結合して設けていることを特徴とするシート。
【請求項３９】
背もたれと肘掛けを具備したシートであって、肘掛けにコンピューターとコンピューターの情報入力装置および画像モニターを結合して設けていることを特徴とするシート。
【請求項４０】
背もたれと肘掛けを具備したシートであって、肘掛けにコンピューターの情報入力装置を結合して設けて、また、前記の情報入力装置に画像モニターを結合して設けていることを特徴とするシート。
【請求項４１】
背もたれと肘掛けを具備したシートであって、肘掛けにコンピューターの情報入力装置と画像モニターを結合して設けているとともに、ヘッドレスト、背もたれ、肘掛け、シート本体、シートの台座等からなるシートの内部にコンピューターを設けていることを特徴とするシート。
【発明の詳細な説明】
【技術分野】
【０００１】本発明は、背もたれや肘掛けを具備したシートに座る人、または背もたれの背面に面した後部座席に座る人が利用するコンピューターの機能を提供するシートに関するものである。
【背景技術】
【０００２】従来から、背もたれやヘッドレストの背面に画像モニターを装着しているシートがあった。しかし、背もたれにキーボードやタッチパッドなどの入力装置が設置されていないために、後部座席に座る人は画像モニターに表示された画像を受動的に視聴する場合が多かった。【０００３】また、背もたれやヘッドレストの背面にタッチパネルの機能が付加された画像モニターが装着された場合であっても、文字情報の入力速度や入力内容が著しく制限されるとともに、前席の背面に設けた画像モニターまで腕を上げて伸ばした状態で長時間入力することには多大な労力を伴うため、ビジネスに用いる大量の文字情報の入力等には適していなかった。【０００４】そのため車や電車や飛行機に乗った際にインターネットによる検索や閲覧や電子メールやビジネスソフト等を利用するには、通常はパソコンや携帯情報端末の所持が必要であった。【０００５】一方、現代はクラウドコンピューティングの台頭等に伴い必ずしもハードディスクなどを含むコンピューター本体を持ち歩く必要がないコンピューター社会へと移行しつつある。また、電車や飛行機に長時間乗る際にコンピューターを活用する潜在的ニーズは大きいが、搭乗時間以外を含む長時間にわたりコンピューターを携行することには大きな負担を伴う。その結果、パソコンを持たないために前記の各種の機能を利用できない場合が多かった。【０００６】また、画像モニターに表示された画像を必要に応じて紙に印刷することができなかった。
【発明の開示】
【発明が解決しようとする課題】
【０００７】本発明は車や電車や飛行機の後部座席に座る際やその他の長時間椅子に座る状況において、コンピューターのデータを能動的かつ自在に入力および加工できるようにするものであり、パソコンや携帯情報端末を携行していない場合でも、インターネットによる検索や閲覧や電子メールやビジネスソフト等を長時間にわたり十分活用できるようにするものである。また、必要に応じてモニターに映る画像をプリントアウトできるようにするものである。また、公共交通機関におけるコンピューターの時間貸しビジネスを可能にするものである。
【課題を解決するための手段】
【０００８】本発明は上記目的を達成するために、シートの背もたれの背面にキーボードを回動可能に装着した。また、背もたれの背面とモニターとキーボードを相互に回動可能に接続した。あるいは背もたれの背面に連結バーを結合して設けて、前記連結バーにコンピューターの情報入力装置であるキーボードなどを結合して設けた。また、コンピューターの情報入力装置であるキーボードなどから入力することが可能なコンピューターをシートに装設した。また、シートの背もたれの内部あるいはシート本体の内部に印刷用プリンターを装設した。【０００９】また、シートの肘掛けにコンピューターの情報入力装置であるキーボードなどを結合して設けた。また、シートの肘掛けに画像モニターや記憶媒体の記憶読み取り装置を設けた。
【発明を実施するための形態】
【００１０】図１は本発明の一実施形態に係るシートの斜視図でありキーボード１が閉位置に位置する。後部座席に座る人は取手２を手前に引いてキーボード１を水平な展開位置まで回動させる。その際に、モニター８もモニター８の上部に位置する回動軸を中心に左回りに回動する。
【００１１】図２はキーボード１が展開位置まで回動した前記一実施形態に係るシートの斜視図である。モニター８はキーボード６に対して鈍角の位置にあり、後部座席に座る人から見やすい。
【００１２】図３は前記実施形態に係るシートの断面図でありキーボード１が閉位置に位置している。その際、キーボード１とモニター８は背もたれの背面にある凹部１４に格納されている。
【００１３】後部座席に座る人が取手２を手前に引くと、キーボード１が回動軸ａ１０を中心に右回りに回動して水平な展開位置まで移動する。その際モニター８もキーボード１とモニター８をつなぐ回動軸ｃ１２を中心に回動しながら、同時に回動軸ｂ１１を中心に左回りに回動する。その際に回動軸ｃ１２はモニター８の側面に設けた回動軸の軸受け１３に沿って移動する。図４はキーボード１が展開位置前まで回動した前記実施形態に係るシートの断面図である。
【００１４】前記キーボード１は従来のノートパソコンと同様にコンピューター本体との一体型である。しかし、コンピューター本体をキーボード１から分離して凹部１４内外のシート内に内蔵してもよい。また、コンピューター本体をシート以外の場所に分離して設置してもよい。
【００１５】図５は回動軸ｂ１１が凹部１４の内側の側面に設けた軸受け１５に沿って移動可能である他の実施形態の断面図である。この実施形態は後部座席に座る人が取手２を手前に引くと、モニター８の回動に伴い回動軸ｂ１１が軸受け１５に沿って右斜め下の方向に移動する。
【００１６】図６は前記他の実施形態にてキーボードが展開位置まで回動したシートの断面図である。キーボード１の回動に伴うモニター８の回動において、回動軸ｂ１１の軸受け１５に沿った右斜め下への移動に伴い、モニター８は左回りに回動しながら右斜め下にスライドする。
【００１７】その結果、モニター８は図５の閉位置より背もたれの背面により近い位置にスライドして後部座席に座る人により近づき、後部座席に座る人からスクリーン９がより見やすくなる。
【００１８】なお、図５のように他の実施形態におけるモニター８は回動に伴い上下に移動するため、キーボード１が閉位置にある際にモニター８はキーボード１よりも高いところに位置する。そのためシート３の背面に設ける凹部１４の上方の奥側に凹み１６を設ける必要がある。
【００１９】図７は背もたれの内部にプリンターを装設した他の実施形態に係るシートの斜視図である。モニターとキーボード１は閉位置にありモニターとキーボードを収納するケース１７内に収納されている。背もたれの背面の前記ケース１７の下方に、プリントアウトされた紙を収納するトレーａ１８が回動軸を介して回動可能に接続されており閉位置に位置している。
【００２０】図８はケース１７とトレーａ１８が開いた前記他の実施形態に係るシートの斜視図である。モニターとキーボードを収納するケース１７ならびにプリントアウトされた紙を収納するトレーａ１８が背もたれ３の背面に面している後部座席の側に回動して開いた位置にある。また、モニターとキーボードを収納するケース１７の背面に給紙用のトレーｂ１９がある。
【００２１】図９と図１０は背もたれの内部にプリンターを装設した本発明のシートの断面図である。トレーｂ１９から紙が給紙されてプリンター２０で印刷されてトレーａ１８に収納される。
【００２２】図１１は背もたれ３の背面に連結バー２１が結合して設けられて、前記の連結バー２１に情報入力装置であるキーボード１が結合して設けられた本発明のシートの斜視図である。
【００２３】図１２は図１１に示した実施形態のシートが前後に２つ並列した状態を示す断面図である。シートの台座２４の内部に設けてあるコンピューター２５が、連結バー２１内を通る配線２６を介してキーボード１に、また配線２７を介してモニター８に各々接続されている。
【００２４】図１３の実施形態では背もたれ３と２本の連結バー２１の下端部、２本の連結バー２１の上端部とキーボード１、キーボード１とモニター８がそれぞれ回動可能に結合している。左側の背もたれ３の後方のモニター８は水平に位置してキーボード１の表側と接している。右側のモニター８は垂直に近い位置にあり後部座席に座る人からスクリーン９が見える。
【００２５】図１４は図１３に示した実施形態のシートが前後に２つ並列した状態を示す断面図である。左側のシートの後方の連結バー２１とキーボード１とモニター８が開位置に位置しており、右側のシートに座った人がモニター８を見ながらキーボード１に入力することができる。シートの台座２４の内部に設けてあるコンピューター２５が、連結バー２１内を通る配線２６を介してキーボード１に、また配線２７を介してモニター８に各々接続されている。
【００２６】図１５の実施形態では背もたれ３と２本の連結バー２１の下端部、２本の連結バー２１の上端部とキーボードのケース２８が各々回動可能に結合して、キーボードのケース２７にキーボード１が収納されており、また背もたれ３の背面にモニター８が接合されている。右側のシートの後方のキーボードのケース２８内にあるキーボード１を後部座席の方向に水平にスライドさせてキーボードのケース２８のカバー２９を背もたれ３の方向に水平にスライドさせると、キーボード１の表側が現れて左側のシートの後方における状態となる。
【００２７】図１６は図１５に示した実施形態のシートが前後に２つ並列した状態を示す断面図である。左側のシートの後方の連結バー２１とキーボードのケース２８が開位置に位置しており、右側のシートに座った人がモニター８を見ながらキーボード１に入力することができる。コンピューター２５がシートの台座２４の内部に設けられており、コンピューター２５が配線２６を介してキーボード１と、また配線２７を介してモニター８と各々接続している。
【００２８】図１７は肘掛け２３と連結バー２１、連結バー２１とキーボード１がそれぞれ結合して、キーボード１が格納される凹部３０が肘掛け２３に設けられた実施形態の斜視図である。水平方向に展開するキーボード１と連結バー２１は、右側のキーボード１と連結バー２１のように垂直方向に回動した後、肘掛け２３に向かって回動して凹部３０に格納される。また、中央の肘掛けには光ディスク装置３１とそれを格納する凹部３２が設けられている。
【００２９】図１８は図１７に示した実施形態のシートが前後に２つ並列した状態を示す断面図である。右側のシートのキーボード１と連結バー２１は垂直方向に回動しており、左側のシートのキーボード１と連結バー２１は凹部３０に格納されている。左側のコンピューター２５が配線２７を介してモニター８と、配線２６を介して右側のキーボード１と接続している。
【００３０】尚、本発明におけるコンピューターとキーボードとモニター間の伝送手段は無線でもよい。また、請求項にて設置位置を指定していないコンピューターの位置はシート以外でもよく、シートを搭載した乗り物の内外の、インターネットなどを介して接続された場所でもよい。また、本発明における入力装置はキーボードの他にタッチパネルやタブレット等でもよい。また、記憶読み取り装置は書き込みと読み取りのいずれかまたは両方が可能な装置である。
【発明の効果】
【００３１】本発明によって、車や電車や飛行機に乗った際やその他の長時間椅子に座る状況において、パソコンや携帯情報端末を携行していない場合でも、インターネットによる検索や閲覧や電子メールやビジネスソフト等の各種機能を長時間にわたり十分に活用できるようになる。また、キーボードとモニターと背もたれが互いを接続する回動軸を中心に回動する場合は、後部座席に座る人がキーボードに設けた取手を手前に引いたり押し戻したりするわずかな操作のみで、簡単にキーボードとモニターを引き出したりシート内にしまうことができる。また、シートの内部にプリンターを設けた場合は随時プリントアウトできるようになる。また、連結バーを介して入力装置を背もたれや肘掛けと連結する場合は、前後の席の間が離れていても後部座席に座る人は手元で入力できる。また、肘掛けに入力装置を連結するとともにシートにコンピューターを設ける場合は、後部座席でなくても効果を発揮する。また、鉄道会社や航空会社がコンピューターを時間貸して課金するビジネスが可能となる。
【図面の簡単な説明】
【００３２】
【図１】図１はキーボードが閉位置に位置する本発明の一実施形態に係るシートの斜視図である。
【図２】図２はキーボードが展開位置に位置する前記の一実施形態に係るシートの斜視図である。
【図３】図３はキーボードが閉位置に位置する前記の一実施形態に係るシートの断面図である。
【図４】図４はキーボードが展開位置に位置する前記の一実施形態に係るシートの断面図である。
【図５】図５は凹部１４の内側に軸受けを設けた他の実施形態に係るシートの断面図である。
【図６】図６はキーボードが展開位置に位置する図５の実施形態に係るシートの断面図である。
【図７】図７は背もたれにプリンターを設けた本発明の実施形態に係るシートの斜視図である。
【図８】図８はケースとトレーが開いている図７の実施形態に係るシートの斜視図である。
【図９】図９は背もたれにプリンターを設けた図７の実施形態に係るシートの断面図である。
【図１０】図１０は背もたれにプリンターを設けた図７の実施形態に係るシートの断面図である。
【図１１】図１１はキーボードが連結バーを介して背もたれに結合している実施形態の斜視図である。
【図１２】図１２は図１１に示した実施形態のシートが前後に２つ並列した状態を示す断面図である。
【図１３】図１３は背もたれと連結バーの下端、連結バーの上端とキーボードの両端、キーボードとモニターの下端がそれぞれ回動可能に結合している実施形態に係るシートの斜視図である。
【図１４】図１４は図１３に示した実施形態のシートが前後に２つ並列した状態を示す断面図である。
【図１５】図１５は背もたれと連結バー、連結バーとキーボードのケースが各々回動可能に結合して、キーボードのケースにキーボードが収納されている実施形態に係るシートの斜視図である。
【図１６】図１６は図１５に示した実施形態のシートが前後に２つ並列した状態を示す断面図である。
【図１７】図１７は肘掛けと連結バー、連結バーとキーボードがそれぞれ回動可能に結合しており、肘掛けに光ディスク装置と凹部が設けられている実施形態に係るシートの斜視図である。
【図１８】図１８は図１７に示した実施形態のシートが前後に２つ並列した状態を示す断面図である。
【符号の説明】
【００３３】１  キーボード２  取手３  背もたれ４  ヘッドレスト５  シート本体６  キー７  タッチパッド８  モニター９  スクリーン１０回動軸ａ１１回動軸ｂ１２回動軸ｃ１３モニターの側面に設けた軸受け１４凹部１５凹部の内側の側面に設けた軸受け１６凹部の上方の奥側に設けた凹み１７モニターとキーボードを収納するケース１８プリントアウトされた紙を収納するトレーａ１９給紙用のトレーｂ２０プリンター２１連結バー２２ストッパー２３肘掛け２４シートの台座２５コンピューター２６コンピューターとキーボードをつなぐ配線２７コンピューターとモニターをつなぐ配線２８キーボードのケース２９キーボードのケースのカバー３０キーボードと連結バーを格納する凹部３１光ディスク装置３２光ディスク装置を格納する凹部
【図１】
2010284505.tif 000003
【図２】
2010284505.tif 000004
【図３】
2010284505.tif 000005
【図４】
2010284505.tif 000006
【図５】
2010284505.tif 000007
【図６】
2010284505.tif 000008
【図７】
2010284505.tif 000009
【図８】
2010284505.tif 000010
【図９】
2010284505.tif 000011
【図１０】
2010284505.tif 000012
【図１１】
2010284505.tif 000013
【図１２】
2010284505.tif 000014
【図１３】
2010284505.tif 000015
【図１４】
2010284505.tif 000016
【図１５】
2010284505.tif 000017
【図１６】
2010284505.tif 000018
【図１７】
2010284505.tif 000019
【図１８】
2010284505.tif 000020